(57)【要約】      （修正有）【課題】柄等の気に入った手拭いやハンカチなどを半衿として用いることが可能な付け替え衿を提供する。【解決手段】後付けによって衣服の衿に取り付けられる付け替え衿１０は、衿芯を有する長尺の衿心及び一端が衿１の中央部にＴ字型を成すように取り付けられた衣紋抜き２を備える。衿１には手拭い５が巻き付けられる。衿１は、幅方向の一方の側部と衿芯との間に名代及び他方の側部と衣紋抜き２の付け根部との間に折りしろを有する。手拭い５は、衿１の幅方向における両側が衿１の一方の面（外側）から他方の面の内側に向けた折り返し部分を有するようにして衣紋抜き２の取り付け位置を中心にして衿１に巻き付けられる。【選択図】図１
0003167943.tif 000002
【実用新案登録請求の範囲】
【請求項１】
内部に衿芯が一体に内装された衿と、前記衿に対してＴ字状に取り付けられた長尺の衣紋抜きを備え、前記衿に所望の布地からなる半衿を巻き付けることにより好みの衿を楽しむことができる付け替え衿において、
前記衣紋抜きを前記衿の幅方向における中央部近傍に取り付けることにより当該衣紋抜きの取り付け部から前記衿の縁部までの間に前記半衿を折り込み可能な折りしろを設けたことを特徴とする付け替え衿。
【請求項２】
請求項１に記載の付け替え衿において、
前記衿芯を前記衿の長手方向に連続する端縁部よりも内側に配置することにより前記衿に折り込まれた前記半衿を縫着するための縫いしろを前記衿の縁部に形成したことを特徴とする付け替え衿。
【請求項３】
請求項１又は２に記載の付け替え衿において、
前記半衿は、手拭い、ハンカチのいずれかであることを特徴とする付け替え衿。
【考案の詳細な説明】
【技術分野】
【０００１】
本考案は、長襦袢、半襦袢、ランジェリーなどの着物の衿に使用される付け替え衿に関し、特に、専用の半衿のみならず、好みの絵柄の手拭いやハンカチを半衿として使用可能な付け替え衿に関する。
【背景技術】
【０００２】
従来より、衿元を綺麗にするために、例えば、特許文献１〜４に示すような衿が提供されていた。これらの特許文献に示された衿は、長尺状の衿と、この衿の中央部にＴ字状となるようにしてその一端が取り付けられた帯状の衿抜き用布と、衿の両側に取り付けられた二本の引き紐とを備えて構成されている。そして、この衿は、着用したときに露出する部分が利用者の好みで選択できるように、無色（白色）、色物（例えば赤色）、柄物、さらには刺繍などを施したものなどが製造・販売元から市販されており、利用者は好みの柄を購入して着用するものであった。
【先行技術文献】
【特許文献】
【０００３】
【特許文献１】実開昭５３−４４５０８号公報
【特許文献２】実開昭５４−１５４１０８号公報
【特許文献３】実開昭６３−２４２０６号公報
【特許文献４】実開昭６３−２４２０７号公報
【考案の概要】
【考案が解決しようとする課題】
【０００４】
しかし、従来の衿によると、その柄を少しは利用者によって購入時には適宜選択できるが、製造・販売元から提供されていないものは当然ながら着用することはできない。つまり、利用者が手拭い、ハンカチ、スカーフなどの柄が気に入り、そのような柄（デザイン）の衿にしたいと思っても、その柄が提供されていなければ着用することはできないものであった。一方で、そのような手拭いやハンカチなどの布片を利用者が自分で衿に取り付けようとしても、従来の衿はそのような布片を後から取り付けることは想定されていなかったため、衿抜き用布や型崩れ防止のために衿の内部に内装されている衿芯が邪魔になって布片を容易に取り付けることができなかった。
【０００５】
そこで、本考案の目的は、利用者が気に入った柄の手拭いやハンカチなどの布片を半衿として容易に取り付けることができるようにした付け替え衿を提供することにある。
【課題を解決するための手段】
【０００６】
上記目的を達成するため、請求項１に記載の本考案は、内部に衿芯が一体に内装された衿と、衿に対してＴ字状に取り付けられた長尺の衣紋抜きを備え、衿に所望の布地からなる半衿を巻き付けることにより好みの衿を楽しむことができる付け替え衿において、衣紋抜きを衿の幅方向における中央部近傍に取り付けることにより当該衣紋抜きの取り付け部から衿の縁部までの間に半衿を折り込み可能な折りしろを設けたことを特徴とする。
【０００７】
上記目的を達成するため、請求項２に記載の本考案は、請求項１に記載の付け替え衿において、衿芯を衿の長手方向に連続する端縁部よりも内側に配置することにより衿に折り込まれた半衿を縫着するための縫いしろを衿の縁部に形成したことを特徴とする。
【０００８】
上記目的を達成するため、請求項３に記載の本考案は、請求項１又は２に記載の付け替え衿において、半衿は、手拭い、ハンカチのいずれかであることを特徴とする。
【考案の効果】
【０００９】
本考案の付け替え衿によれば、柄などの気に入った手拭いやハンカチなどの布片を衿に容易に縫着することを可能としたので、利用者が自分の好みの柄の衿を半衿として利用することができるという効果がある。
【図面の簡単な説明】
【００１０】
【図１】本考案に係る付け替え衿の一実施形態を示す正面展開図である。
【図２】半衿を衿に取り付ける前の状態を示す付け替え衿の正面展開図である。
【図３】本考案に係る付け替え衿の第一の使用手順を示す説明図である。
【図４】図３の手順に続く手順を示す説明図である。
【図５】本考案に係る付け替え衿の第二の使用手順における正面展開図である。
【考案を実施するための形態】
【００１１】
［付け替え衿の構成］
以下、本考案に係る付け替え衿について、好ましい一実施形態に基づいて詳細に説明する。図１は本考案に係る付け替え衿の好ましい一実施形態を示す正面展開図、図２は半衿（例えば、手拭い）を衿に取り付ける前の状態を示す正面展開図である。図示された付け替え衿１０は、図２に示すように、絹、縮緬、木綿、ポリエステルなどの素材によって長尺状に形成された衿１と、この衿１の中央部近傍にＴ字状となるようにしてその一端側の縁部が縫着された長尺の衣紋抜き２と、衿１の両端にその一端が縫着された所定長さの一対の引き紐３Ａ，３Ｂを備えて構成されている。また、衿１の内部には、衿１の中央部の上側に沿って形崩れ防止のための衿芯１１が内装されている。
【００１２】
衿芯１１は、図２の丸囲みに示すように、衿１の長手方向に連続する端縁部よりも幅方向における内側に配置することにより衿１の端縁部に衿芯１１が位置しない部分が形成されている。この部分が、後述するように、衿１を巻き付けるようにして折り込まれた半衿を縫着するための縫いしろとなる。この縫いしろｔは、例えば、幅が約３ｍｍとされている。
【００１３】
また、衣紋抜き２は、衿１への取り付け側端（上端）が衿１の幅方向における中央部近傍に縫着されて取り付けられている。そして、この取り付け部分から衿１の側端縁部までの間が、後述するように、衿１に巻き付けた半衿を折り込むための折りしろとなる。このように、折りしろｓ及び縫いしろｔを設けることにより、半衿である、例えば、手拭い５の両側を内面（図２の正面）に向けて図１に示すように容易に折り返すことができると共に、衿１に容易に縫い付けることが可能となる。
【００１４】
また、衿１には、図２に示すように、緩いカーブを持ったプレス線１ａが設けられており、このプレス線１ａに沿って衿１の片側（図２の配置では上側）が折り曲げられることで衿１の綺麗なラインが形成されるようになっている。また、衿１の両端には後述する引き紐３Ａ，３Ｂを通すための紐通し孔１ｂ，１ｃが長手方向に沿って設けられている。本実施形態では、衿１は、折り返し前の幅が約１１ｃｍであり、露出する部分の幅が５〜６ｃｍとなるようにして折り返される。一方、衣紋抜き２には、引き紐３Ａ，３Ｂを通すための後紐通し孔２ａが中央部に設けられており、着物の着用時に後紐通し孔２ａに引き紐３Ａ，３Ｂを互いに逆方向から挿通した後、結んで固定する。
【００１５】
また、衿１には、着脱可能な細い二本の合びき紐４Ａ，４Ｂが付属する。この合びき紐４Ａ，４Ｂは、長襦袢などに使用する際、衿合わせを利用者の体に固定するために自身のみぞおちの辺りで結ぶものである。そして、利用者が自己の体型に合わせて取り付け位置を選択できるように、合びき紐４Ａ，４Ｂは付け替え衿１０には未装着になっており、市販時は添付されるのみとなっている。
【００１６】
「付け替え衿の第一の使用方法」
次に、上述した付け替え衿１０の第一の使用方法について説明する。図３は付け替え衿１０の使用手順を示す説明図、図４は図３の（ｅ）の手順に続く手順を示す説明図である。初めに、図３（ａ）に示すように、利用者は半衿とする好みの手拭い５の幅方向の中心を衿１の幅方向の中心に合わせ、かつ、手拭い５の長手方向の中心を衿１の長手方向の中心に合わせる。この状態で手拭い５の幅方向の両側を折り返して手拭い５を衿１に巻き付ける。具体的には、手拭い５の両端側を約３ｃｍ衿１の内側へ折り込む。このとき手拭い５の折り返し部分の最大幅は図３（ｃ）に示した折りしろｓとなる。半衿として利用可能な手拭い５のサイズは、引き紐３Ａ，３Ｂとの間に収まるサイズであれば良く、特に限定されるものではないが、例えば、長さが９６ｃｍ以内、幅が１８ｃｍ以内であることが好ましい。また、手拭い５はできるだけ薄手のものが望ましい。
【００１７】
次に、図３（ｂ）に示すように、折り返した面に当て布８を介在させながらアイロン６によりアイロンがけをする。次に、マチ針によって手拭い５の折り返し面の片側を背中心ＢＣから両側に向けて所定間隔で仮止めする。そして、図３（ｃ）に示すように、手拭い５の折り返された側を縫っていく。さらに、反対側も同様の手順で衿１に縫着する。次に、図３（ｄ）に示すように、手拭い５が縫い着けられた衿１をプレス線１ａに沿って内側に折り曲げると図３（ｅ）示すような衿１となる。これにより、図４（ａ）に示すような付け替え衿１０が完成する。
【００１８】
最後に、図４（ｂ）に示すように、合びき紐４Ａ，４Ｂを手拭い５を巻き付け済みの衿１に取り付ける。合びき紐４Ａ，４Ｂの取り付け位置は背中心ＢＣから両側へ衿１に沿って約４４ｃｍの位置を目安とし、利用者の体型に合わせて取り付け位置を適宜に調整する。このようにして完成した付け替え衿１０は長襦袢などの衿に取り付けられる。その取り付け方法は周知であるので、ここでは説明を省略する。
【００１９】
このように、本考案に係る付け替え衿によれば、衿１に巻き付けるようにして折り返した半衿（手拭い５）を衿１に縫い止められるように縫いしろｔ及び折りしろｓを設けたので、デザインや色彩など利用者が気に入った手拭いを半衿として利用することができるという効果がある。このように、本考案に係る付け替え衿は半衿の選択の幅を大いに拡げることができるという効果がある。
また、これまで半衿の取り付けや付け替えには多大な時間や労力を必要であったが、本考案に係る付け替え衿によれば、利用者はこのような大変面倒な作業から解放され、気軽に半衿の交換を行うことができるので、これまで以上に着物を楽しむことができるという効果がある。
【００２０】
［付け替え衿の第二の使用方法］
次に、付け替え衿の第二の使用方法について説明する。図５は本考案に係る第二の使用手順における付け替え衿の正面展開図である。ここでは図１に示した手拭い５に代えて大判（例えば、一辺が５０ｃｍ）のハンカチ７を半衿に用いたものである。この場合、ハンカチ７は布目のバイアスを生かして斜めにして用いる。具体的には、ハンカチ７の対角線の一つを衿１の長手方向の中心に合わせ、そして、他の対角線の一つを衣紋抜き２の幅方向の中心に合わせる。そして、図５に示すように、衣紋抜き２を一旦使用状態側とは反対側へ位置させた状態でハンカチ７を数回に分けて折り曲げて衿１を包み込む。次に、衣紋抜き２を使用状態側へ戻し、先に折り曲げた側とは反対側のハンカチ７のコーナを衣紋抜き２に巻き付ける。これにより、ハンカチ７を半衿として使用することができる。
【００２１】
このように、本考案に係る付け替え衿によれば、衿の縁部に折りしろｓを設けたのでハンカチ７のような方形の布片であっても衣紋抜き２に邪魔されることなく半衿として使用できるという効果がある。このように、ハンカチ７のような方形状の布片を半衿として使用できるので利用者の選択の幅はさらに拡がり、自分好みのデザインや色彩などを半衿として楽しむことができるとういう効果がある。
【００２２】
［他の使用方法］
上述した使用法の他、さらに次のように使用することもできる。すなわち、第一の使用法では、半衿を糸で縫着していたが、これを、例えば、両面テープやピンなどを用いて衿１に留めることもできる。この方法によれば、さらに、簡単、且つ、短時間で好みの柄（デザイン）や色彩の半衿とすることができる。
【００２３】
以上のように、本考案の好ましい実施形態について詳述したが、本考案は係る特定の実施形態に限定されるものではなく、実用新案登録請求の範囲に記載された本考案の要旨の範囲内において、種々の変形・変更が可能であることはいうまでもない。
【００２４】
例えば、本考案に係る衿用として提供される半衿や、上記した手拭い５やハンカチ７に代えて、スカーフ、不要になった和服や洋服、さらには各種カバーなど（例えば、ふとんカバー）から切り出した切れ端などを半衿として用いることができる。また、本考案に係る付け替え衿１０は、上記した長襦袢、半襦袢、ランジェリーのほか、着物本体の衿を汚したくない衣服に対しても利用することができる。
【符号の説明】
【００２５】
１    衿
１ａ  プレス線
１ｂ  紐通し孔
１ｃ  紐通し孔
２    衣紋抜き
２ａ  後紐通し孔
３Ａ  引き紐
３Ｂ  引き紐
４Ａ  合びき紐
４Ｂ  合びき紐
５    手拭い（半衿）
６    アイロン
７    ハンカチ（半衿）
８    当て布
１０  付け替え衿
１１  衿芯
ＢＣ  背中心
ｔ    縫いしろ
ｓ    折りしろ
【図１】
0003167943.tif 000003
【図２】
0003167943.tif 000004
【図３】
0003167943.tif 000005
【図４】
0003167943.tif 000006
【図５】
0003167943.tif 000007